(57)【要約】      （修正有）【課題】障害物との衝突を回避するために、改良された衝突回避機能を有する車両の自動制御方法を提供する。【解決手段】車両制御システムは、ゾーン制御システム、衝突予想システム、及びブレーキ制御システムを備え、自動制御方法は、ゾーン制御システムにより、車両の位置に関する少なくとも第１ゾーンＺ１と第２ゾーンＺ２とを設定するステップと、予想システムにより障害物との衝突を予測するステップと、衝突が第１ゾーンＺ１内で発生すると予想されるときには、ブレーキ制御システムにより第１ブレーキモードで車両を自動的に制動する一方、衝突が第２ゾーンＺ２内で発生すると予想されるときには、ブレーキ制御システムにより第２ブレーキモードで車両を自動的に制動するステップと、を含む。【選択図】図３
2020200023.tif 000002
【特許請求の範囲】
【請求項１】
ゾーン制御システム、衝突予想システム、及びブレーキ制御システムを備える車両制御システムにより実行される車両の自動制御方法であって、
前記ゾーン制御システムにより、前記車両の位置に関する少なくとも第１ゾーンと第２ゾーンとを設定するステップと、
前記衝突予想システムにより障害物との衝突を予測するステップと、
衝突が前記第１ゾーン内で発生すると予想されるときには、前記ブレーキ制御システムにより第１ブレーキモードで車両を自動的に制動する一方、衝突が前記第２ゾーン内で発生すると予想されるときには、前記ブレーキ制御システムにより第２ブレーキモードで車両を自動的に制動するステップと、を含む車両の自動制御方法。
【請求項２】
請求項１に記載の車両の自動制御方法において、
前記車両は、第１ブレーキシステムと第２ブレーキシステムとを有し、
前記第１ブレーキモードは、前記車両を制動させるために、前記第１ブレーキシステムのみを用いるステップを含み、
前記第２ブレーキモードは、前記車両を制動させるために、前記第１ブレーキシステムと前記第２ブレーキシステムとを用いる車両の自動制御方法。
【請求項３】
請求項２に記載の車両の自動制御方法において、、
前記第１ブレーキシステムは電気リターダであり、
前記第２ブレーキシステムは少なくとも１つの常用ブレーキを含む車両の自動制御方法。
【請求項４】
請求項１に記載の車両の自動制御方法において、
前記第１ブレーキモード及び前記第２ブレーキモードのうちの少なくとも一方は、所定の距離マージンを維持又は回復するのに十分に前記車両を制動することを含む車両の自動制御方法。
【請求項５】
請求項４に記載の車両の自動制御方法において、
前記第１ブレーキモードが前記所定の距離マージンを回復するのに不十分であるときには、前記第１ブレーキモードから前記第２ブレーキモードに切り換えるステップを更に含む車両の自動制御方法。
【請求項６】
請求項１に記載の車両の自動制御方法において、
前記車両制御システムの検出システムにより前記障害物を検出するステップ、
及び、前記障害物が静止しているときには、衝突を予測するために、前記障害物の位置と前記車両の軌道とを比較するステップ、
の少なくとも一方を更に含む車両の自動制御方法。
【請求項７】
請求項１に記載の車両の自動制御方法において、
前記障害物が動的障害物であるときには、該障害物の軌道を予測するために、前記車両制御システムの検出システムにより前記障害物の動作を検出するステップ、
前記障害物がある軌道を追従するように制御された動的障害物であるときには、前記車両制御システムのインターフェースを介して前記障害物の前記軌道に関する情報を受信するステップ、
及び、前記障害物が動的障害物であるときには、衝突を予測するために、前記障害物の軌道と前記車両の軌道とを比較するステップ、
の少なくとも１つを更に含む車両の自動制御方法。
【請求項８】
請求項１に記載の車両の自動制御方法において、
前記障害物は、所定の軌道を追従するよう制御された動的障害物であり、
前記車両制御システムの検出システムにより前記障害物の動作を検出するステップと、
前記車両制御システムのインターフェースを介して、前記障害物の前記所定の軌道に関する情報を受信するステップと、
衝突を予測するために、前記障害物の軌道と前記車両の軌道とを比較するステップと、を更に含む車両の自動制御方法。
【請求項９】
請求項２に記載の車両の自動制御方法において、
前記第２ゾーンは、第１サブゾーンと第２サブゾーンとを含み、
前記第２ブレーキモードは、
衝突が前記第１サブゾーンで発生すると予測されるときにアクティブになる第１サブモードと、
衝突が前記第２サブゾーンで発生すると予測されるときにアクティブになる第２サブモードと、
を有し、
前記第１サブモードは、前記第１及び第２ブレーキシステムを最大の制動力で使用するモードであり、
前記第２サブモードは、前記第１ブレーキシステムを最大の制動力で使用しかつ第２ブレーキシステムを一部の制動力で使用するモードである車両の自動制御方法。
【請求項１０】
請求項１に記載の車両の自動制御方法において、
前記第１ゾーンと前記第２ゾーンとを設定するステップは、前記車両の速度、勾配、付着力、及び重量のうち少なくとも１つのパラメーターを含む少なくとも１つの車両状態に基づく、少なくとも１つの制動距離のリアルタイム計算を含む車両の自動制御方法。
【請求項１１】
請求項１に記載の車両の自動制御方法において、
前記第１ブレーキモードでは、前記車両は、中央プラットフォームから受信した、予め計画された軌道を追従し、
前記第２ブレーキモード又は前記第２ブレーキモードの第１サブモードでは、前記車両制御システムの車両軌道制御システムが、衝突を回避するために、前記中央プラットフォームから独立して前記車両の軌道を再計画する車両の自動制御方法。
【請求項１２】
請求項１に記載の車両の自動制御方法において、
前記ゾーン制御システムにより、第３ゾーンを設定するステップと、
前記第３ゾーンにおいて衝突が予想されるときには、該衝突を回避するために、前記車両制御システムの車両軌道制御システムにより、中央プラットフォームから独立して前記車両の軌道を再計画する車両の自動制御方法。
【請求項１３】
ゾーン制御システム、衝突予想システム、及び衝突回避システムを備える車両制御システムにより実行される車両の自動制御方法であって、
前記ゾーン制御システムにより、前記車両に関する少なくとも第１ゾーンと第３ゾーンとを設定するステップと、
前記衝突予想システムにより障害物との衝突を予想するステップと、
衝突が前記第１ゾーン内で発生すると予想されるときには、前記衝突回避システムにより第１衝突回避モードで車両を自動的に制動する一方、衝突が前記第３ゾーン内で発生すると予想されるときには、前記衝突回避システムにより第３衝突回避モードで車両を自動的に制動するステップと、を含む車両の自動制御方法。
【請求項１４】
請求項１３に記載の車両の自動制御方法において、
前記第３衝突回避モードは、衝突を回避するために、前記車両制御システムの車両軌道制御システムにより、中央プラットフォームから独立して前記車両の軌道を再計画するステップを含む車両の自動制御方法。
【請求項１５】
請求項１４に記載の車両の自動制御方法において、
前記第１衝突回避モードは、
前記中央プラットフォームから受信する予め計画された軌道を追従するステップと、
前記車両のブレーキ制御システムにより該車両を自動的に制動するステップと、
を含む車両の自動制御方法。
【請求項１６】
請求項１５に記載の車両の自動制御方法において、
前記第１衝突回避モードにおいて前記車両を制動する前記ステップが、衝突が前記第３ゾーンで発生すると予想される結果となるときには、前記第１衝突回避モードから前記第３衝突回避モードに変更するステップを更に含む車両の自動制御方法。
【請求項１７】
請求項１５に記載の車両の自動制御方法において、
前記ゾーン制御システムにより第２ゾーンを設定するステップと、
衝突が前記第２ゾーン又は前記第２ゾーンの第１サブゾーンで発生すると予想されるときには、前記衝突回避システムにより、第２衝突回避モード又は該第２衝突回避モードの第１サブモードで前記車両を自動的に制御するステップと、
を更に含み、
前記第２衝突回避モード又は該第２衝突回避モードの前記第１サブモードにおいて、前記車両の軌道は、衝突を回避するために、前記車両制御システムの前記車両軌道制御システムにより、中央プラットフォームからは独立して緊急に再計画される車両の自動制御方法。
【請求項１８】
請求項１７に記載の車両の自動制御方法において、
前記車両制御システムは、ブレーキ制御システムを更に備え、
前記車両の自動制御方法は、
衝突が前記第１ゾーンで発生すると予想されるときには、前記ブレーキ制御システムにより、第１ブレーキモードで前記車両を自動的に制動するステップと、
衝突が前記第２ゾーンで発生すると予想されるときには、前記ブレーキ制御システムにより、第２ブレーキモードで前記車両を自動的に制動するステップと、
を更に含む車両の自動制御方法。
【請求項１９】
請求項１８に記載の車両の自動制御方法において、
前記車両は、第１ブレーキシステムと第２ブレーキシステムとを備え、
前記第１ブレーキモードは、前記第１ブレーキシステムのみを使用するステップを含み、
前記第２ブレーキモードは、前記第１及び第２ブレーキシステムを使用するステップを含む車両の自動制御方法。
【請求項２０】
請求項１４に記載の車両の自動制御方法において、
前記車両は、第１ブレーキシステムと第２ブレーキシステムとを備え、
前記第３衝突回避モードは、前記第３ゾーンよりも前記車両の近くで発生すると予想される衝突を回避するときには、前記第１ブレーキシステムのみを使用するステップを含む車両の自動制御方法。
【請求項２１】
請求項１４に記載の車両の自動制御方法において、
前記車両制御システムは、前記車両が静止状態のときにアクティブになる予防的衝突回避システムを備え、
前記車両の自動制御方法は、
前記ゾーン制御システムにより第２ゾーンを設定するステップと、
衝突が前記第２ゾーン又は前記第２ゾーンの第１サブゾーンで発生すると予想されるときに前記車両の動作を抑制するステップと、
衝突が前記第１又は第３ゾーンで発生すると予想されるときには、前記車両制御システムの車両軌道制御システムにより、中央プラットフォームから独立して前記車両の軌道を再計画するステップと、
を含む車両の自動制御方法。
【請求項２２】
請求項１３に記載の車両の自動制御方法において、
前記第１ゾーンは、前記第３ゾーンよりも前記車両に近いゾーンである車両の自動制御方法。
【請求項２３】
請求項１に記載の車両の自動制御方法において、
前記車両は採掘作業用のダンプカーである車両の自動制御方法。
【請求項２４】
請求項１３に記載の車両の自動制御方法において、
前記車両は採掘作業用のダンプカーである車両の自動制御方法。
【請求項２５】
車両を自動制御する車両制御システムであって、
ゾーン制御システムと、
衝突予想システムと、
衝突回避システムと、を備え、
前記ゾーン制御システムにより、前記車両に関する少なくとも第１ゾーンと第３ゾーンとを設定するステップと、前記衝突予想システムにより障害物との衝突を予想するステップと、衝突が前記第１ゾーン内で発生すると予想されるときには、前記衝突回避システムにより第１衝突回避モードで車両を自動的に制動する一方、衝突が前記第３ゾーン内で発生すると予想されるときには、前記衝突回避システムにより第３衝突回避モードで車両を自動的に制動するステップと、を含む方法を実行可能である車両制御システム。
【発明の詳細な説明】
【技術分野】
【０００１】
本開示は、車両の自動制御方法及び車両を自動制御する車両制御システムに関する。
【背景技術】
【０００２】
自動制御のダンプカーなどの自動制御車両は、所定の軌道を使用して、スタート位置から到着位置に移動する。車両制御システムは、作動点を定義して、所定の軌道に沿って車両を制御し得る。
【０００３】
車両制御システムは、これまでに知られていない静止障害物や、車両や人などの移動物体のような障害物を検出する検出システムを有する。このような障害物は、情報の不足のために、または動的障害物の場合にはそれらの位置が変更されるため、軌道を計画するときに考慮されない可能性がある。このため、車両制御システムは、衝突を回避するために障害物の検出に対処する方法が必要となる。
【発明の概要】
【発明が解決しようとする課題】
【０００４】
本開示の目的は、障害物との衝突を回避するための改良された機能である衝突回避機能を有するように、車両制御システムにより車両を自動で制御する方法、及び該機能を有しかつ車両を自動制御する車両制御システムを提供することにある。
【課題を解決するための手段】
【０００５】
前記目的及び他の目的は、本開示の実施形態により解決され得る。
【０００６】
本開示の一態様において、車両回避の概念は、車両の速度、勾配、付着力、及び重量のような現在の状態に基づくゾーンのリアルタイム計算を含む。本開示の他の態様では、所定の距離マージンを維持するために、電気リターディングと常用ブレーキの増強との組み合わせが使用される。一部の概念では、衝突のリスクを最小限に抑え、電気リターダの使用を優先し、可能な場合は常用ブレーキの使用を最小限に抑える。本開示のある態様では、車両制御システムが静止した障害物や動いている障害物を再計画する予防的障害物回避が使用される。
【０００７】
第１の実施形態は、ゾーン制御システム、衝突予想システム、及びブレーキ制御システムを備える車両制御システムにより実行される車両の自動制御方法であり、該方法は、
ゾーン制御システムにより、車両の位置に関する少なくとも第１ゾーンと第２ゾーンとを設定するステップと、
衝突予想システムにより障害物との衝突を予測するステップと、
衝突が第１ゾーン内で発生すると予想されるときには、ブレーキ制御システムにより第１ブレーキモードで車両を自動的に制動する一方、衝突が第２ゾーン内で発生すると予想されるときには、ブレーキ制御システムにより第２ブレーキモードで車両を自動的に制動するステップと、を含む。
【０００８】
第２の実施形態は、ゾーン制御システム、衝突予想システム、及び衝突回避システムを備える車両制御システムにより実行される車両の自動制御方法であり、該方法は、
ゾーン制御システムにより、車両に関する少なくとも第１ゾーンと第３ゾーンとを設定するステップと、
衝突予想システムにより障害物との衝突を予想するステップと、
衝突が第１ゾーン内で発生すると予想されるときには、衝突回避システムにより第１衝突回避モードで車両を自動的に制動する一方、衝突が第３ゾーン内で発生すると予想されるときには、衝突回避システムにより第３衝突回避モードで車両を自動的に制動するステップと、を含む。
【０００９】
第３の実施形態は、車両を自動制御する車両制御システムであって、ゾーン制御システムと、衝突予想システムと、衝突回避システムと、を備え、
ゾーン制御システムにより、車両に関する少なくとも第１ゾーンと第３ゾーンとを設定するステップと、衝突予想システムにより障害物との衝突を予想するステップと、衝突が第１ゾーン内で発生すると予想されるときには、衝突回避システムにより第１衝突回避モードで車両を自動的に制動する一方、衝突が第３ゾーン内で発生すると予想されるときには、衝突回避システムにより第３衝突回避モードで車両を自動的に制動するステップと、を含む方法を実行可能である。
【図面の簡単な説明】
【００１０】
【図１】図１は、本開示の方法及び制御システムにより自動制御されるダンプカーの側面図である。
【図２】図２は、本開示の制御システムの機能部品を示す概略図である。
【図３】図３は、本開示の方法及び制御システムで使用されるゾーンの第１概略図である。
【図４】図４は、本開示の方法の第１実施形態のステップを例示するダイヤグラムである。
【図５】図５は、本開示の方法の第２実施形態のステップを例示するダイヤグラムである。
【図６】図６は、本開示の方法の第１衝突回避モードのステップを例示するダイヤグラムである。
【図７】図７は、本開示の方法の第２衝突回避モードのステップを例示するダイヤグラムである。
【図８】図８は、本開示の方法の第３衝突回避モードのステップを例示するダイヤグラムである。
【図９】図９は、本開示の方法及び制御システムで使用されるゾーンの第２概略図である。
【図１０】図１０は、本開示の方法及び制御システムで使用されるゾーンの第３概略図である。
【発明を実施するための形態】
【００１１】
以下、車両制御システムにより実行される車両の自動制御方法の実施形態、及び車両を自動制御する車両制御システムの実施形態について、図面を参照しながら説明する。
【００１２】
図１は、前記方法又は前記制御システムにより自動制御される車両を例示する。本実施形態では、車両は、採掘場において輸送目的で使用されるダンプカーである。このダンプカーは、１００メートルトン以上のペイロードを有していてもよい。
【００１３】
ダンプカー３０は、車輪１上を移動可能なシャーシ２を備える。ホイール１は、少なくとも１つのエンジンを有する駆動ユニット６により駆動する。エンジンは、ディーゼルエンジンのような内燃機関であり得る。本実施形態において、駆動ユニット６は、ディーゼル電気駆動ユニットであってもよい。車輪は、ディーゼルエンジンによって駆動されるジェネレータから動力供給される電動モータにより駆動されるものであってもよい。
【００１４】
図１に示すダンプカーは、シャーシ２に載置されたダンプボディ３を備える。ダンプボディは、水平方向の枢軸を用いてシャーシに取り付けられていて、ダンプボディに積載された材料をダンプボディからダンプトラックの後方に滑り出させるために、ホイストシリンダー４により旋回可能である。
【００１５】
ダンプカーは、該ダンプカーのマニュアル操作を可能にするために、ドライバー用の車室５を更に備える。他の実施形態では、車室が設けられていなくてもよい。本実施形態では、車室５は、熱交換器９の上方に配置され、階段７を介してアクセス可能なプラットフォーム８上に設けられている。
【００１６】
ダンプカーは、車両を自動制御する車両制御システムを更に備える。この車両制御システムの機能部品は、ダンプカーの他の機能部品と共に図２に示されている。
【００１７】
車両制御システム１２は、ゾーン制御システム１７、衝突予想システム１８、及び衝突回避システム１９を備える。衝突回避システム１９は、ブレーキ制御システム１５を有していてもよく、該ブレーキ制御システムに置き換えられてもよい。
【００１８】
車両制御システム１２は、検出システム１６を更に備えてもよい。検出システム１６は、車両に配置されたセンサ２２の信号を評価し、障害物を検出するように構成され得る。
【００１９】
車両制御システムは、軌道制御システム１３とステアリング制御システム１４とを更に備え得る。ステアリング制御システムは、車両のステアリングシステムを制御する。
【００２０】
本実施形態において、ブレーキ制御システム１５は、第１ブレーキシステム１０と第２ブレーキシステム１１とを制御する。第１ブレーキシステム１０は、摩擦なしで作動することができる。 第２ブレーキシステム１１は、摩擦ブレーキを含み得る。
【００２１】
第１ブレーキシステム１０は、電気リターダであり得る。電気リターダは、車輪に制動トルクを供給するために、車両の電動モータを操作することにより作動する。それにより、電動モータは電気エネルギーを生成し、これは、抵抗器システムによって熱として放散されるか、またはエネルギー貯蔵システムによって回収され得る。第２ブレーキシステム１１は、少なくとも１つの常用ブレーキを有していてよい。常用ブレーキは、ディスクブレーキや湿式ブレーキのような機械式ブレーキであり得る。
【００２２】
車両制御システム１２は、センサ２２に接続されている。少なくとも１つのセンサ２２は、検出システム１６と接続されていて、これにより、検出システム１６は障害物を検出することができる。
【００２３】
車両制御システム１２は、アクチュエータ２０と更に接続されていてもよい。このようなアクチュエータは、ステアリング制御システムが車両を操舵できるように、ステアリング制御システム１４と接続されたステアリング機器を含んでいてもよい。
【００２４】
車両制御システム１２は、フリート／交通管理システム等の中央プラットフォーム２１と通信し得る。中央プラットフォーム２１との通信用に、車両制御システムはインターフェース２３を備えていてもよい。インターフェース２３は、無線インターフェースであり得る。中央プラットフォーム２１は、複数の自動制御車両と通信するように構成されていてもよい。特に、中央プラットフォーム２１は、複数の自動制御車両に所定の軌道を供給するように構成されていてもよい。
【００２５】
ゾーン制御システム１７は、図３に示すように、車両Ｖに関するゾーンを設定するように構成されている。本実施形態において、ゾーンは、第１ゾーンＺ１、並びに、第２ゾーンＺ２及び第３ゾーンの少なくとも一方を含む。第２ゾーンは、第１サブゾーンＺ２．１と第２サブゾーンＺ２．２とを含んでいてもよい。
【００２６】
第１ゾーンＺ１は、第３ゾーンＺ３よりも車両に近い位置であり得る。第２ゾーンＺ２は、第１ゾーンＺ１よりも車両に近い位置であり得る。第１サブゾーンＺ２．１は、第２サブゾーンＺ２．２よりも車両に近い位置であり得る。
【００２７】
本実施形態において、ゾーンは、車両の軌道４０に沿って、車両Ｖの前側に延びている。特に、ゾーンは、車両の所定の軌道４０に沿って並んでいてもよい。車両制御システムは、所定の軌道に沿ってスタート位置から到着位置まで車両が移動するのを制御するために、所定の軌道を使用することができる。車両制御システムは、現在の位置を特定して、所定の軌道に沿って車両を制御し得る。
【００２８】
検出システム１６は、これまでに知られていない静的障害物５０や、車両や人などの動的物体５１のような障害物５０を検出するように構成されている。このような障害物５０，５１は、情報の不足のために、または動的障害物の場合にはそれらの位置が変更されるため、軌道を計画するときに考慮されない可能性がある。車両制御システムは、このような障害物５０，５１との衝突を回避する方法を実行するように構成されている。
【００２９】
次に、本実施形態に係る車両の自動制御方法について、図４〜図１０を参照しながら詳細に説明する。これらの方法は、車両に搭載された車両制御システムによって自動的に実行され得る。特に、反対に明示されていないときには、全てのステップは、中央プラットフォームからは独立して、すなわち中央プラットフォームからの介入や制御なしに実行され得る。
【００３０】
車両制御システムは、少なくとも１つのマイクロプロセッサと、メモリに格納されたソフトウェアとを備える、ソフトウェアは、車両制御システムの機能及び本明細書に記載された車両の自動制御方法の機能を、マイクロプロセッサ上で実行する。車両制御システムの種々のサブシステムは、車両制御システムのソフトウェア及びハードウェア要素により実行され得る。
【００３１】
第１実施形態では、図４に概略的に示すように、車両制御システム３０により実行される車両の自動制御方法は、以下のステップを有する。
【００３２】
ステップＳ１では、少なくとも１つの車両状態に基づく少なくとも１つの制動距離に関するリアルタイム計算が実行される。車両状態は、車両の速度、勾配、付着力、及び重量のうち少なくとも１つのパラメーターを含む。車両の重量は、車両により搬送される積載物の重量を含んでもよい。少なくとも１つのパラメーターは、車両のセンサに基づいて検出されてもよい。
【００３３】
ステップＳ２は、ゾーン制御システムにより、車両Ｖに対して、少なくとも第１ゾーンと第２ゾーンとを設定することを含む。第１ゾーン及び第２ゾーンの少なくとも１つは、ステップＳ１で計算された制動距離に依存し得る。
【００３４】
ステップＳ３は、予想システムを用いて、障害物との衝突を予想することを含む。特に、ステップＳ３は、障害物を検出して、該障害物と車両との衝突が発生するか否かを予想する。ステップＳ３は、衝突が予測される場合、該衝突が第１ゾーンで発生すると予想されるか、又は第２ゾーンで発生すると予測されるかを決定することを更に含んでもよい。
【００３５】
本実施形態において、障害物予想システムは、静的障害物との衝突及び動的障害物との衝突の両方を予測することが可能である。他の実施形態では、障害物予想システムは、静的障害物との衝突のみ又は動的障害物との衝突のみを予想することができる。障害物５０が静的障害物であるときには、衝突は、障害物の位置と車両の軌道とを比較することで予想される。動的障害物５１であるときには、該障害物は車両の軌道上にまだ位置していないが、システムは、障害物５１の速度と進行方向に基づいて、潜在的な衝突を予測することができる。したがって、本実施形態の場合、動的障害物５１は、システムが介入するために、この瞬間に軌道上にある必要はない。
【００３６】
衝突が第１ゾーンで発生すると予想されるときには、本方法はステップＳ４に進む。ステップＳ４では、ブレーキ制御システムを用いて、第１ブレーキモードで車両の自動制動が行われる。第１ブレーキモードについては後述する。
【００３７】
衝突が第２ゾーンで発生すると予想されるときには、本方法はステップＳ５に進む。ステップＳ４では、ブレーキ制御システムを用いて、第２ブレーキモードで車両の自動制動が行われる。第２ブレーキモードについては後述する。
【００３８】
ステップＳ４において実行される第１ブレーキモードは、第１ブレーキシステムのみを使用するステップを含み、ステップＳ５において実行される第２ブレーキモードは、第１及び第２ブレーキを使用するステップを含む。
【００３９】
前述のように、第１ブレーキシステムは電気リターダでよく、第２ブレーキシステムは少なくとも１つの常用ブレーキを有してよい。
【００４０】
ある実施形態では、第１ブレーキモードと第２ブレーキモードとの少なくとも一方は、所定の距離マージンを維持又は回復するのに十分に車両を制動することを含んでもよい。
【００４１】
ある実施形態では、本方法は、第１ブレーキモードが所定の距離マージンを回復するのに不十分であるときには、第１ブレーキモードから第２ブレーキモードに変更するステップを更に含んでもよい。
【００４２】
予想システムを用いて障害物との衝突を予想するステップＳ３は、１つ以上のサブステップを含んでもよい。
【００４３】
ある実施形態では、ステップＳ３は、車両制御システムの検出システムを用いて障害物を検出するサブステップを含んでもよい。
【００４４】
ある実施形態では、ステップＳ３は、障害物が、静的障害物であるか又は動的障害物であるかを決定するサブステップを含んでもよい。
【００４５】
ある実施形態では、ステップＳ３は、衝突を予想するために、車両の軌道と障害物の位置とを比較するサブステップを含んでもよい。特に、このステップは、障害物が静的障害物であると決定されるときに適用され得る。
【００４６】
ある実施形態では、ステップＳ３は、障害物の軌道を予測するための車両制御システムの検出システムを用いて、障害物の動作、特に速度及び進行方向を検出するサブステップを含んでもよい。特に、このステップは、障害物が動的障害物であると決定されるときに適用され得る。
【００４７】
ある実施形態では、ステップＳ３は、車両制御システムのインターフェースを介して、障害物の軌道についての情報を受信するサブステップを含んでもよい。特に、このステップは、障害物が軌道を追従するように制御された動的障害物であると判断されるときに適用され得る。車両制御システムは、特に、中央プラットフォームから、障害物の軌道についての情報を取得し得る。
【００４８】
ある実施形態では、ステップＳ３は、車両の軌道と衝突が予想される障害物の軌道とを比較するサブステップを含んでもよい。特に、このステップは、障害物が動的障害物であると決定されるときに適用され得る。
【００４９】
ある実施形態では、障害物が所定の軌道を追従するように制御される動的障害物であると場合に、ステップＳ３は、次のサブステップを含んでもよい、
車両制御システムの検出システムを用いて障害物の動作を検出するステップ、
障害物の所定の軌道についての情報を車両制御システムのインターフェースを介して受信するステップ、
検出システムにより検出された障害物の動作とインターフェースを介して受信した障害物の所定の軌道とから障害物の軌道を予想するステップ、
衝突を予想するために、車両の軌道と障害物の予想される軌道とを比較するステップ。
【００５０】
以下、追加のゾーンやサブゾーンを使用する実施形態について説明する。
【００５１】
第２ゾーンＺ２が第１サブゾーンＺ２．１と第２サブゾーンＺ２．２とを含む実施形態では、第２ブレーキモードは、衝突が第１サブゾーンＺ２．１で発生すると予想されるときにアクティブになる第１サブモードと、衝突が第２サブゾーンＺ２．２で発生すると予想されるときにアクティブになる第２サブモードとを有する。
【００５２】
第１サブモードでは、第１及び第２ブレーキシステムは最大の制動力で使用され得る。第２サブモードでは、第１ブレーキシステムは最大の制動力で使用されかつ第２ブレーキシステムを一部の制動力で使用され得る。この一部の制動力は、所定の距離マージンを維持又は回復するために制御され得る。
【００５３】
ある実施形態では、ステップＳ４で使用される第１ブレーキモードにおいて、車両は、中央プラットフォームから受信した、予め計画された軌道を追従してもよい。ステップＳ５で使用される第２ブレーキモード、又は第２ブレーキモードの第１サブモードにおいて、車両制御システムの車両軌道制御システムは、障害物との衝突を回避するために、手中型プラットフォームとは独立して車両の軌道を再計画してもよい。第２ブレーキモードの第２サブモードにおいて、車両は、中央プラットフォームから受信した、予め計画された軌道を追従してもよい。
【００５４】
ある実施形態では、前記方法は、
ゾーン制御システムにより第３ゾーンＺ３を設定するステップと、
衝突が、第１ゾーンＺ１で発生するか、第２ゾーンＺ２で発生するか、又は第３ゾーンＺ３で発生するか否かを決定するステップ、
とを更に含んでもよい。
【００５５】
衝突が第１ゾーン又は第２ゾーンで発生すると予想されるときには、前記ステップＳ４及びステップＳ５にそれぞれ進む。
【００５６】
衝突が第３ゾーンＺ３で発生すると予想されるときには、前記方法は、障害物との衝突を回避するために、車両制御システムの車両軌道制御システムにより、中央プラットフォームからは独立して、車両の軌道を再計画するステップを含んでもよい。
【００５７】
衝突が第３ゾーンＺ３で発生すると予想されるときには、前記方法は、ブレーキ制御システムを用いて、第３ブレーキモードで車両を自動的に制動するステップを含んでもよい。第３ブレーキモードは、車両を制動するために、第１ブレーキシステムのみを使用するステップを含んでもよい。第３ブレーキモードでは、第１ブレーキシステムは、所定の距離マージンを維持するために、一部の制動力に制御されて使用され得る。
【００５８】
図５に概略的に示すように、車両制御システムにより実行される車両の自動制御方法の更なる実施形態は、次のステップを踏んでもよい。
【００５９】
ステップＳ１では、少なくとも１つの車両状態に基づく少なくとも１つの制動距離に関するリアルタイム計算が実行される。車両状態は、車両の速度、勾配、付着力、及び重量のうち少なくとも１つのパラメーターを含む。車両の重量は、車両により搬送される積載物の重量を含んでもよい。少なくとも１つのパラメーターは、車両のセンサに基づいて検出されてもよい。
【００６０】
ステップＳ２は、ゾーン制御システムにより、車両Ｖに対して、少なくとも第１ゾーン、第２ゾーン、及び第３ゾーンを設定することを含む。第１ゾーン及び第２ゾーンの少なくとも１つは、ステップＳ１で計算された制動距離に依存し得る。
【００６１】
ステップＳ３は、予想システムを用いて、障害物との衝突を予想することを含む。ステップＳ３は、衝突が、第１ゾーン、第２ゾーン、及び第３ゾーンのうちの１つで発生すると予想されるか否かを決定することを更に含み得る。特に、ステップＳ３は、障害物を検出して、該障害物と車両との衝突が発生するか否かを予想して、予測される衝突が、第１ゾーン、第２ゾーン、又は第３ゾーンで発生するかを決定することを更に含んでもよい。
【００６２】
ステップＳ４では、車両制御システムは、車両が移動状態であるか静止状態であるかを決定する。移動状態では、車両は軌道に沿って移動していてもよい。静止状態では、車両は、固定点に留まっている。
【００６３】
ステップＳ４において、車両の移動状態が検出されたときには、前記方法は、以下のように進む。
【００６４】
衝突が第１ゾーンで発生すると予想されるときには、前記方法はステップＳ５．１に進む。ステップＳ５．１では、車両は、衝突回避システムを用いて、第１衝突回避モードで自動的に操作される。
【００６５】
衝突が第２ゾーンで発生すると予想されるときには、前記方法はステップＳ５．２に進む。ステップＳ５．２では、車両は、衝突回避システムを用いて、第２衝突回避モードで自動的に操作される。
【００６６】
衝突が第３ゾーンで発生すると予想されるときには、前記方法はステップＳ５．３に進む。ステップＳ５．３では、車両は、衝突回避システムを用いて、第３衝突回避モードで自動的に操作される。
【００６７】
第１、第２、及び第３衝突回避モードの実施形態は、図６〜図８を参照して説明される。
【００６８】
ステップＳ４において、車両が静止状態であることが検出されたときには、前記方法は以下のように進む。
【００６９】
衝突が第１ゾーンＺ１又は第３ゾーンＺ３で発生すると予想されるときには、ステップＳ６．２において、車両の始動前に、中央プラットフォームからは独立して車両の軌道が再計画される。
【００７０】
衝突が第２ゾーンで発生すると予想されるときには、ステップＳ６．１において、車両の動作が中止される。
【００７１】
車両が静止状態であるか又は移動状態であるかを決定するステップＳ４は、オプションであってもよい。前記方法は、移動状態に関するステップのみを有してもよく、静止状態に関するステップのみを有してもよい。
【００７２】
代わりの実施形態では、第１、第２、及び第３ゾーンのうち少なくとも２つのゾーンを設定してもよい。代わりの実施形態では、第１、第２、及び第３衝突回避モードのうち少なくとも２つのモードで車両を操作してもよい。
【００７３】
図６は、衝突回避システムを用いて、第１衝突回避モードで車両を自動操作するステップＳ５．１のサブステップＳ５．１．１，Ｓ５．１．２，及びＳ５．１．３を示す。
【００７４】
ステップＳ５．１．１は、中央プラットフォームから受信した、予め計画された軌道を追従することを含む。ステップＳ５．１．２は、車両のブレーキ制御システムにより、第１ブレーキモードで車両を自動的に制動することを含む。第１ブレーキモードは、第１ブレーキシステムのみを使用するステップを含んでもよい。
【００７５】
ステップＳ５．１．３は、第１衝突回避モードにおいて車両を制動するステップＳ５．１．２の結果、第３ゾーンで衝突が発生すると予想されるときに、第１衝突回避モードから第３衝突回避モードに変更することを含む。
【００７６】
図７は、衝突回避システムにより、第２衝突回避モードで車両を自動操作するステップＳ５．２のサブステップを示す。
【００７７】
ステップＳ５．２．１は、第２ゾーンに対して第１サブゾーンと第２サブゾーンとを設定することを含む。ステップＳ５．２．１は、衝突が第１サブゾーンＺ２．１で発生すると予想されるか、又は第２サブゾーンＺ２．２で発生すると予想されるかを決定することを更に含んでもよい。
【００７８】
衝突が第２ゾーンＺ２の第１サブゾーンＺ２．１で発生すると予想されるときには、前記方法はステップＳ５．２．２に進む。ステップＳ５．２．２では、衝突回避システムを用いて、第２衝突回避モードの第１サブモードにより車両を自動操作する。第２衝突回避モードの第１サブモードは、第１及び第２ブレーキシステムを最大の制動力で使用するステップＳ５．２．２．１と、車両軌道制御システムにより、障害物との衝突を回避するように車両の軌道を緊急再計画するステップＳ５．２．２．２とを含み得る。緊急再計画は、中央プラットフォームからは独立して実行されてもよい。
【００７９】
衝突が第２ゾーンの第２サブゾーンＺ２．２で発生すると予想されるときには、前記方法はステップＳ５．２．３に進む。ステップＳ５．２．３では、衝突回避システムを用いて、第２衝突回避モードの第２サブモードにより車両を自動操作する。第２衝突回避モードの第２サブモードは、第１ブレーキシステムを最大の制御力で使用しかつ第２ブレーキシステムを一部の制動力で使用するステップＳ５．２．３．１と、中央プラットフォームから受信した、予め計画された軌道を追従するステップＳ５．２．３．２とを含み得る。一部の制動力は、距離マージンを維持するように制御されてもよい。
【００８０】
図８は、衝突回避システムにより、第３衝突回避モードで車両を自動操作するステップＳ５．３のサブステップＳ５．３．１及びＳ５．３．２を示す。
【００８１】
ステップＳ５．３．１は、障害物を第３ゾーン内に維持するために第１ブレーキシステムのみを使用することを含み、ステップＳ５．３．２は、障害物との衝突を回避するために、車両制御システムの車両軌道制御システムにより、中央プラットフォームからは独立して車両の軌道を再計画することを含む。すなわち、車両軌道制御システムは、中央プラットフォームの助けを借りずに、該中央プラットフォームから受け取った所定の軌道に対する介入を、車両内で実行し得る。特に、中央プラットフォームは、車両が中央プラットフォームから受信した元々の軌道を追従するという仮定に基づいて機能するが、これに代えて、車両は、前記介入を選択して独自の決定を行って、この動作が進行中であることを中央プラットフォームに通知する。
【００８２】
前記方法のいくつかは、
軌道制御システムにより、中央プラットフォームから所定の軌道を受信するステップと、
軌道制御システムにより、軌道を予め設定するステップと、
の少なくとも１つのステップを更に含んでもよい。
【００８３】
ある実施形態では、前記方法は、ステアリング制御システムにより所定の軌道に沿って車両を制御する更なるステップを含んでもよい。
【００８４】
ある実施形態では、前述の車両の自動制御方法は、車両がステアリング制御システムにより所定の軌道に沿って制御されている間に実行されてもよい。
【００８５】
図５〜図８を参照して説明した本開示の方法は、図４を参照して説明された特徴及びステップのいくつかを含んでもよい。
【００８６】
車両制御システムは、以下で説明するように、反応的及び予防的障害物回避を実行するものでもよく、車両の能力の範囲内で、静的障害物までの距離マージンよりも大きい距離で停止したり、動的障害物に対する距離マージンを維持又は回復するように動作したりしてもよい。
【００８７】
更なる実施形態は、図９及び図１０を参照して説明される。障害物を回避するという目的のため、車両制御システムは、障害物の衝突を回避するために利用可能なマージンを示す３つの距離ゾーンを計算し、回避関連の決定に基づいて機能する。これらのゾーンは、継続的に更新され得る。図９及び図１０はゾーンの概念を示す。
【００８８】
（ゾーン１）
ゾーン１は、第１ブレーキシステム、特に動的リターダを制動力１００％で利用するとともに、第２ブレーキシステム、特に常用ブレーキを制動力１００％で利用したときに、現在の速度、勾配、付着力、及びＧＶＷ（車両総重量）の状態に基づいて要求される停止距離に、マージンdmargin1を加えたものとして設定され得る。
【００８９】
（ゾーン２）
ゾーン２は、第１ブレーキシステムのみを制動力１００％で利用したときに、現在の速度、勾配、付着力、及びＧＶＷの状態に基づいて要求される停止距離に、マージンdmargin2を加えたものとして設定され得る。
【００９０】
（ゾーン３）
ゾーン３は、ゾーン２にマージンdmargin3を加えたものとして設定され得る。概念的には、これが、反応性障害物回避を使用できる車両の軌道に沿った最大距離を表す。ゾーン３よりも長い距離で最初に検出された障害物については、予防的障害物回避が使用される。
【００９１】
〈マージン〉
各ゾーンにおける距離マージンは設定可能なものである。
【００９２】
ある実施形態では、図９及び図１０で説明されたゾーンは、以下のように、図３〜図８を参照して説明されたゾーンと対応している。
【００９３】
【表１】
2020200023.tif 000003
【００９４】
他の対応も同様に適用され得る。
【００９５】
〈予防的障害物回避〉
本明細書の目的のために、反応的障害物回避は、障害物との衝突を回避するために、距離マージンを維持するようにリアルタイムの操縦を実行する移動中の車両として定義され得る。反応的障害物回避には、障害物を予測して、車両制御システムの唯一のガイダンスの下で行動して、距離マージンを維持することが含まれる。車両制御システムは、監督による介入の前に、状況を独立して管理しかつ障害を回避する必要がある。反応的障害物回避は、図９を参照して説明される。前述した第１及び第２障害物回避モードが、この概念に対応している。
【００９６】
反応性障害物回避の実施形態には、これらに限定されないが以下のものが含まれる。
【００９７】
車両制御システムは、車両軌道（車両の幅を含み得る）を、検出された静的障害物及び動的障害物の軌道と比較して、適切な距離マージン内で停止するように行動し得る。
【００９８】
動作中の障害物が、決められた軌道を有する他の自動的な物体であるときには、車両制御システムは、他の自動的な物体に定義された軌道を使用して、衝突の予測を強化し、障害物回避の誤った実行を回避します。
【００９９】
障害物（予想された衝突を含む）がゾーン３とゾーン２との間で検出されるときには、車両制御システムは、ブレーキ制御システムにより、第１ブレーキシステムのみを使用して、障害物の速度に合わせるか、障害物が静止している場合は停止させるように、指定された速度をある割合で減少させる。既存の計画された軌道は変更されず、ステアリング偏差も利用されない。可能な場合、速度は減少され、車両は、ゾーン３の距離よりも大きい障害物からの距離に到達する。これが達成された場合、ロジックは、後述するように、予防的障害物回避にシフトしてもよい。これは、安全な距離を維持するために機械を減速させて、トラックが完全に停止することなく障害物を回避できるように、状況を予防的回避に代えることを目的としている。障害物がゾーン２よりも近い場合には、ゾーン２又はゾーン１内の障害物用のロジックが、後述するように利用される。車両制御システムは、障害物回避ステータスを交通管理に送信してもよい。
【０１００】
障害物又は予想される衝突がゾーン２とゾーン１との間で検出されるときには、車両制御システムは、障害物からの距離がゾーン２の距離以上に回復させる試みとして、ブレーキ制御システムにより、第１ブレーキシステムを１００％で使用しかつ第２ブレーキシステムを部分的に使用して、指定された速度をある割合で減少させる。車両から障害物までの距離がゾーン２の距離以上の距離に増加すると、障害物がゾーン３とゾーン２との間で検出された場合のロジックが利用され得る。車両から障害物までの距離がゾーン１の距離と同程度にまで減少したときには、ゾーン１におけるロジックが利用される。車両制御システムは、障害物回避ステータスを交通管理に送信してもよい。
【０１０１】
障害物又は予想される衝突がゾーン１よりも近くで検出されるときには、車両は、、ブレーキ制御システムにより、第１ブレーキシステムを１００％で使用しかつ第２ブレーキシステムを１００％で使用して（例えば、車両制御システムの速度基準ステップ関数をゼロにして）、車両の減速を最大限化させて、指定された速度をゼロにまで減少させる。速度の減少と併行して、車両制御システムは、新たな緊急軌道を計画する。緊急軌道は、通過可能な領域、障害物の位置（動的障害物の軌道を含む）、車両の安全限界が考慮されて、車両が停止するまでの十分な距離が算出される。すべての条件を満たす緊急軌道を計算することが不可能な場合に、車両制御システムは、遵守すべき制約の優先順位を決定するための構成可能なオプションを有する。車両制御システムは、障害物回避ステータスを交通管理に送信してもよい。
【０１０２】
車両制御システムは、車両及び接近する障害物の相対速度を識別して、該相対速度情報を使用して距離マージンを達成する能力を有してもよい。例えば、車両に接近する動的障害物は、車両と同じ方向に移動している障害物よりも、ゾーン距離を維持するためにより積極的なアクションが必要になる。
【０１０３】
緊急軌道が失敗した後、車両制御システムは失敗を報告する。通常の自動操作への復帰をトリガーするために交通管理からのリセットが必要になる場合がある。
【０１０４】
車両制御システムは、緊急軌道の全ての計画された経路の座標、及びどの経路が実施されたかを記録してもよい。
【０１０５】
〈予備的障害物回避−動的な場合〉
本明細書の目的のために、予備的障害物回避は、静的又は動的障害物がある障害物を予測して、動作中のＯＨＴの衝突を予備的に回避する軌道を再計画する車両制御システムの動作として定義される。これは、衝突が、ゾーン３を超えてセンサ２２の限界まで予測されるものであって、第２ブレーキシステムを使用することなく、車両の速度を下げかつ障害物の周りを再計画するのに十分な距離と時間があるとういう点で、緊急軌道の概念とは異なる。
【０１０６】
車両制御システムの権限の制限は、車両制御システムの再計画のレベルを、人間の介入なしに実行することができるレベルに制限するように定義されてもよい。
【０１０７】
予備的障害物回避の実施形態は、これらに限定されないが以下のものが含まれる。
【０１０８】
障害物が、ゾーン３より長くかつセンサ２２の限界まで予測される距離であるときには、車両は、ゾーン３の距離よりも長い距離を維持するように（再計画操作中を除く）、第１ブレーキシステムのみを使用して、指定された速度をある割合で減少させてもよい。同時に、車両制御システムは、障害物周りを再計画するプロセスを開始してもよい。車両制御システムは、障害物回避ステータスを交通管理に送信してもよい。
【０１０９】
再計画は、前述した最小距離を採用することができる。
【０１１０】
双方向の道路を走行するときには、新しい軌道が通過可能領域の境界内にありかつ反対側の車線内に他の障害物や通行がない場合、車両制御システムは、障害物を避けるために現在の軌道を再計画してもよい。再計画は、前述した最小距離を採用することができる。
【０１１１】
車両制御システムは、ゾーン３と同等の距離を維持する速度、又はゾーン３に近づく速度の小さい方と同等の速度で、再計画された軌道に沿って車両を制御してもよい。
【０１１２】
車両制御システムは、交通管理に、再計画された軌道の実行を示すためにイベントメッセージを報告してもよい。
【０１１３】
車両制御システムは、再計画された軌道の座標を記録してもよい。
【０１１４】
車両制御システムが、前述した条件内で有効な軌道の再計画をできないときには、車両は、ブレーキ制御システムにより、ゾーン２よりも長い距離を維持して機械を停止させるように、（遅延された安全範囲内で）第１ブレーキシステムのみを利用して減速させて、指定された速度をある割合で減少させる。
【０１１５】
〈予備的障害物回避−静的な場合〉
本明細書の目的のために、予備的障害物回避は、衝突を回避するために静止車両の動きを抑制する車両制御システムの動作として定義され得る。
【０１１６】
予備的障害物回避の実施形態は、これらに限定されないが以下のものが含まれる。
【０１１７】
車両制御システムは、障害物がゾーン１内で検出されたときには、自動動作を抑制してもよい。車両制御システムは、障害物回避ステータスを交通管理に送信してもよい。車両制御システムは、交通管理の介入を要求してもよい。
【０１１８】
障害物が、ゾーン２とゾーン１との間、又はゾーン３にあるときには、車両制御システムは障害物周りの軌道を再計画する。車両制御システムは、再計画された軌道を実行するとともに、自動操作を再開するように車両に命令することができる。
【図１】
2020200023.tif 000004
【図２】
2020200023.tif 000005
【図３】
2020200023.tif 000006
【図４】
2020200023.tif 000007
【図５】
2020200023.tif 000008
【図６】
2020200023.tif 000009
【図７】
2020200023.tif 000010
【図８】
2020200023.tif 000011
【図９】
2020200023.tif 000012
【図１０】
2020200023.tif 000013
【外国語明細書】
2020200023000001.pdf